(57)【要約】      （修正有）【課題】タッチパネルの操作中に操作子が邪魔になったり、また過誤により操作子を操作してしまったりするといった問題を回避できる工作機械の操作盤を提供する。【解決手段】操作子配置部７をタッチパネル６の操作面より一段低く形成し、この操作子配置部７に各種の手動式操作子を配設する。タッチパネル６を操作する場合に操作子が邪魔になるのを大幅に減少できる。また逆にタッチパネル６の操作中に操作子に誤って腕等が触れるのを、格段に少なくできる。一方、非常停止押しボタン８については、これの上端面８ａがタッチパネル６の操作面より少し高くなるように操作子配置部７の高さを設定する。これにより、通常時にはこの非常停止押しボタン８がタッチパネル６の操作の邪魔になったり、誤操作されたりするのを抑制でき、かつ非常時にはこの非常停止押しボタン８を直ちに押圧できる。【選択図】図２
0003183418.tif 000002
【実用新案登録請求の範囲】
【請求項１】
操作盤本体に、タッチパネル式操作面及び手動式操作子が配設された工作機械の操作盤において、
前記操作盤本体に、前記タッチパネル式操作面より一段低い操作子配置部を形成し、該操作子配置部に操作子を配設した
ことを特徴とする工作機械の操作盤。
【請求項２】
請求項１に記載の工作機械の操作盤において、
前記操作子配置部は、複数の操作子を配置する共通配置部となっている
ことを特徴とする工作機械の操作盤。
【請求項３】
請求項１に記載の工作機械の操作盤において、
前記操作子配置部は、個別の操作子を配置する単独配置部となっている
ことを特徴とする工作機械の操作盤。
【請求項４】
請求項１ないし３の何れかに記載の工作機械の操作盤において、
前記操作子配置部は、操作子の上端面が前記タッチパネル式操作面より低くなるようにその高さが設定されている
ことを特徴とする工作機械の操作盤。
【請求項５】
請求項１ないし３の何れかに記載の工作機械の操作盤において、
前記操作子配置部に配置された操作子は、非常停止押しボタンを含む
ことを特徴とする工作機械の操作盤。
【請求項６】
請求項５に記載の工作機械の操作盤において、
前記操作子配置部は、非常停止押しボタンの上端面が前記タッチパネル式操作面より高くなるようにその高さが設定されている
ことを特徴とする工作機械の操作盤。
【請求項７】
請求項１ないし６の何れかに記載の工作機機械の操作盤において、
操作位置から見て、前記操作子配置部は、前記タッチパネル式操作面の手前側に形成されている
ことを特徴とする工作機械の操作盤。
【考案の詳細な説明】
【技術分野】
【０００１】
本考案は、タッチパネル式操作面を備えた工作機械の操作盤に関し、特にタッチパネル操作中に操作ボタン等が邪魔にならないようにした操作盤の構造の改善に関する。
【背景技術】
【０００２】
操作性を改善した一般的な工作機械の操作盤として、従来例えば、特許文献１に記載されているように、ＮＣ旋盤を操作するための操作盤を、ＮＣ旋盤の加工領域で作業をするオペレータの作業位置の近傍に配置したものがある。
【０００３】
一方、最近では、タッチパネル式操作面と、押しボタンや切替えスイッチ等の手動式操作子とを備えた操作盤が提案されている。例えば、操作盤の手前側に、非常停止押しボタン，マニュアル送りハンドルや各種スイッチ等の手動式操作子を配設し、奥側にタッチパネルの操作により例えばデータ入力やプログラムの編集作業等を行うタッチパネル式操作面を配設したものがある。
【先行技術文献】
【特許文献】
【０００４】
【特許文献１】特開平０９−２６７２３０号公報
【考案の概要】
【考案が解決しようとする課題】
【０００５】
ところで前記従来のタッチパネル式操作面と手動式操作子群を備えた操作盤の場合、その構造上、各操作子がタッチパネルの操作面より上方に突出しているので、タッチパネルを操作する場合に、突出配置された操作子が邪魔になってタッチ操作がし難いという問題がある。また逆にタッチパネルの操作中に、誤って操作子に腕などが触れてしまい、機械を非常停止させてしまうといった問題が懸念される。
【０００６】
本考案は、前記従来の状況に鑑みてなされたもので、タッチパネルの操作中に操作子が邪魔になる、あるいは過誤により操作子を操作してしまうといった問題を回避できる工作機械の操作盤を提供することを課題としている。
【課題を解決するための手段】
【０００７】
請求項１の考案は、操作盤本体に、タッチパネル式操作面及び手動式操作子が配設された工作機械の操作盤において、前記操作盤本体に、前記タッチパネル式操作面より一段低い操作子配置部を形成し、該操作子配置部に操作子を配設したことを特徴としている。
【０００８】
請求項２の考案は、請求項１に記載の工作機械の操作盤において、前記操作子配置部は、複数の操作子を配置する共通配置部となっていることを特徴としている。
【０００９】
請求項３の考案は、請求項１に記載の工作機械の操作盤において、前記操作子配置部は、個別の操作子を配置する単独配置部となっていることを特徴としている。
【００１０】
請求項４の考案は、請求項１ないし３の何れかに記載の工作機械の操作盤において、前記操作子配置部は、操作子の上端面が前記タッチパネル式操作面より低くなるようにその高さが設定されていることを特徴としている。
【００１１】
請求項５の考案は、請求項１ないし３の何れかに記載の工作機械の操作盤において、前記操作子配置部に配置された操作子は、非常停止押しボタンを含むことを特徴としている。
【００１２】
請求項６の考案は、請求項５に記載の工作機機械の操作盤において、前記操作子配置部は、前記非常停止押しボタンの上端面が前記タッチパネル式操作面より高くなるようにその高さが設定されていることを特徴としている。
【００１３】
請求項７の考案は、請求項１〜６の何れかに記載の工作機械の操作盤において、操作位置から見て、前記操作子配置部は、前記タッチパネル式操作面の手前側に形成されていることを特徴としている。
【考案の効果】
【００１４】
請求項１の考案によれば、タッチパネル式操作面より一段低い操作子配置部に操作子を配設したので、タッチパネルを操作する場合に、タッチパネルと同じ高さの操作子配置部に操作子を配置した場合に比較して操作子が邪魔になることがほとんどなく、タッチパネル操作を容易確実に行うことができる。また逆にタッチパネル操作中に操作子に腕等が触れることはほとんどなく、誤って機械を作動させるといった問題を回避できる。
【００１５】
請求項２の考案では、操作子配置部は複数の操作子を配置する共通配置部となっており、操作子配置部を低く形成する場合の構造が簡単である。
【００１６】
請求項３の考案では、操作子配置部は個別の操作子用の単独配置部となっているので、タッチパネル操作中に、操作子が邪魔になったり、操作子を誤って操作したりするのをより一層確実に回避できる。
【００１７】
請求項４の考案では、前記操作子配置部の高さを、操作子の上端面が前記タッチパネル式操作面より低くなるように設定したので、タッチパネル操作中に、操作子が邪魔になったり、操作子を誤って操作したりするのをより一層確実に回避できる。
【００１８】
請求項５の考案では、非常停止押しボタンがタッチパネル操作の邪魔になったり、誤操作されたりするのを回避できる。
【００１９】
請求項６の考案では、非常停止押しボタンの上端部をタッチパネル式操作面より少し上方に位置させたので、通常時には非常停止押しボタンがタッチ操作の邪魔になるのを抑制しつつ、非常時には非常停止押しボタンを直ちに確実に押圧して機械を止めることができる。
【００２０】
請求項７の考案では、通常、操作位置から見て、前記操作子配置部が前記タッチパネル式操作面の手前側に形成されている場合は、タッチパネル操作中に、操作子が邪魔になったり、操作子を誤って操作したりするおそれが高くなるところ、操作子配置部を低く形成したので、操作子を手前側に配置しながら前記問題を回避でき、有用性が高い。
【図面の簡単な説明】
【００２１】
【図１】本考案の実施例１に係る操作盤を備えた工作機械の正面斜視図である。
【図２】前記操作盤の正面斜視図である。
【図３】本考案の実施例２に係る操作盤の正面斜視図である。
【図４】本考案の実施例３に係る操作盤の正面斜視図である。
【考案を実施するための形態】
【００２２】
以下、本考案の実施形態を添付図面に基づいて説明する。
【実施例１】
【００２３】
図１及び図２は本考案の実施例１に係る工作機械の操作盤を説明するための図である。
【００２４】
図において、１は、例えばレーザー加工等を行う工作機械である。該工作機械１の正面右側部には支持台２が設けられ、該支持台２上に操作盤３が配設されている。
【００２５】
前記操作盤３は、起立角度を調整可能に配置されたディスプレイ表示部４と、該ディスプレイ表示部４の手前側に略水平に配置された操作盤本体５とを備えている。
【００２６】
前記ディスプレイ表示部４には、加工条件や加工内容あるいは加工プログラム等が表示される。
【００２７】
また前記操作盤本体５では、操作位置から見て奥側にはタッチパネル式操作面（以下、タッチパネルと記す）６が配設されている。このタッチパネル６には、各種の操作アイコン等が表示され、該アイコンをタッチ操作することにより、例えばデータ入力やプログラムの編集作業等を行うことができる。
【００２８】
そして前記操作盤本体５の手前側には、操作子配置部７が前記タッチパネル６より一段低くなるように形成されている。この操作子配置部７には、非常停止押しボタン８，マニュアル送りハンドル９，早送りオーバーライドスイッチ１０ａ等の各種回動スイッチ１０ｂ〜１０ｄ，サイクルスタートスイッチ１１ａ，フィードホールドスイッチ１１ｂ等の押圧スイッチ、心押し用セレクトスイッチ１２，リセットボタン１３等々が配設されている。
【００２９】
ここで前記操作子配置部７の高さは、非常停止ボタン８の上端面８ａが前記タッチパネル６の操作面より少し高くなり、かつ残りの各種操作子の上端面１０′が前記タッチパネル６の操作面より低くなるように設定されている。
【００３０】
このように各操作子をその上端面１０′がタッチパネル６の操作面より低くなるように配置したのは、各操作子がタッチパネル６のタッチ操作の邪魔になったり、あるいは逆に操作子を誤って操作してしまったりという問題を確実に回避するためである。
【００３１】
一方、非常停止押しボタン８については、非常時にはこの非常停止押しボタン８を瞬時に間違いなく押圧でき、かつ通常時にはタッチパネル６の操作の邪魔になったり、誤って非常停止押しボタン６を操作したりすることがないようにするためである。
【００３２】
このように本実施例１では、操作子配置部７をタッチパネル６の操作面より一段低く形成し、この操作子配置部７に各種の手動式操作子を配設したので、タッチパネル６を操作する場合に操作子が邪魔になるのを、操作子タッチパネル６の操作面と同じ高さに配設した場合に比較して大幅に減少でき、その結果タッチパネル６の操作を容易確実に行うことができる。また逆にタッチパネル６の操作中に操作子に誤って腕等が触れるのを、前記タッチ操作面と同じ高さに操作子を配設した場合に比較して格段に少なくできる。
【００３３】
一方、非常停止押しボタン８については、これの上端面８ａがタッチパネル６の操作面より少し高くなるように操作子配置部７の高さを設定したので、通常時にはこの非常停止押しボタン８がタッチパネル６の操作の邪魔になったり、誤操作されたりするのを抑制でき、かつ非常時にはこの非常停止押しボタン８を直ちに押圧できる。
【００３４】
ここで、通常、操作位置から見て、タッチパネル６の手前側に操作子を配置した場合は、操作子をタッチパネルの左，右側方に配置した場合に比較して、タッチパネル操作中に、操作子が邪魔になったり、操作子を誤って操作したりするおそれが高くなるところ、本実施例では、操作子配置部７を一段低く形成したので、前記タッチパネル操作の邪魔や誤操作の問題を回避又は抑制できる。
【００３５】
また前記操作子配置部７を各操作子が配置される共通の配置部としたので、操作子配置部７の構造が簡素であり、操作子配置部７を一段低く設けたことで構造が複雑になるといった問題を回避できる。
【実施例２】
【００３６】
図３は本発明の実施例２を示し、図２と同一符号は同一又は相当部分を示す。
【００３７】
本実施例２は、操作子配置部７の周囲を前記タッチパネル６の操作面と略同じ高さの周壁部７ａで囲んだ例である。
【００３８】
本実施例２では、操作子配置部７の周囲が周壁部７ａで囲まれているので、タッチパネル６の操作時に各操作子が邪魔になったり、あるいは操作子を誤って操作してしまったりという問題をより一層確実に防止できる。
【実施例３】
【００３９】
図４は本発明の実施例２を示し、図２，図３と同一符号は同一又は相当部分を示す。
【００４０】
本実施例３では、操作子配置部７ｂは、個別の操作子毎に凹設された単独配置部となっている。
【００４１】
本実施例３では、操作子配置部７ｂを各操作子毎に凹設したので、タッチパネル６の操作時に各操作子が邪魔になったり、あるいは操作子を誤って操作してしまったりという問題をより一層確実に防止できる。
【符号の説明】
【００４２】
１  工作機械
３  操作盤
５  操作盤本体
６  タッチパネル式操作面
７  操作子配置部（共通配置部）
７ｂ  操作子配置部（単独配置部）
８  非常停止押しボタン
８ａ  非常停止押しボタンの上端面
９  マニュアル送りハンドル（操作子）
１０′  操作子の上端面
【図１】
0003183418.tif 000003
【図２】
0003183418.tif 000004
【図３】
0003183418.tif 000005
【図４】
0003183418.tif 000006